(57)【要約】【課題】設置作業性に優れた支持アーム取付具を提供する。【解決手段】支持アーム２０の後端部に設けられ、螺子を通す貫通孔を有した連結部４０と、反射鏡１０の裏面に設けられ、貫通孔を通った螺子を止める螺子孔５１を有し、連結部４０が固定されるアーム固定部と、を備える。アーム固定部５０は、貫通孔と螺子孔との位置が合った状態で、反射鏡１０と支持アーム２０の位置関係を保持するための第１嵌合部を有し、連結部４０は、第１嵌合部と嵌合する第２嵌合部を有する。【選択図】図２
2018078476.tif 000002
【特許請求の範囲】
【請求項１】
前端部にコンバータが設けられた支持アームを衛星アンテナ用の反射鏡に取り付けるための支持アーム取付具であって、
前記支持アームの後端部に設けられ、螺子を通す貫通孔を有した連結部と、
前記反射鏡の裏面に設けられ、前記貫通孔を通った前記螺子を止める螺子孔を有し、前記連結部が固定されるアーム固定部と、を備え、
前記アーム固定部は、前記貫通孔と前記螺子孔との位置が合った状態で、前記反射鏡と前記支持アームとの位置関係を保持するための第１嵌合部を有し、
前記連結部は、前記第１嵌合部と嵌合する第２嵌合部を有する、ことを特徴とする支持アーム取付具。
【請求項２】
前記アーム固定部は、
前記反射鏡の裏面に接する面である設置面と、前記設置面から立設した立設壁と、前記立設壁の端部から突出して前記反射鏡の裏面と対向する対向壁と、を有するガイド部を備え、
前記対向壁は、前記連結部を前記アーム固定部に固定した時の前記支持アームの位置を取付位置として、前記取付位置にある前記支持アームが前記対向壁と前記設置面との間に位置するように設けられている、ことを特徴とする請求項１に記載の支持アーム取付具。
【請求項３】
前記第１嵌合部と前記第２嵌合部とは、前記支持アームが前記取付位置にある時に嵌合する、ことを特徴とする請求項２に記載の支持アーム取付具。
【請求項４】
前記第１嵌合部は、前記対向壁の端部から前記設置面に向かって突出するように形成された爪である嵌合爪であり、
前記第２嵌合部は、前記支持アームが前記取付位置にある時に前記嵌合爪と嵌合する孔である嵌合孔である、ことを特徴とする請求項３に記載の支持アーム取付具。
【請求項５】
前記第１嵌合部は、前記設置面から前記反射鏡と反対方向に突出するように形成された爪である嵌合爪であり、
前記第２嵌合部は、前記支持アームが前記取付位置にある時に前記嵌合爪と嵌合する孔である嵌合孔である、ことを特徴とする請求項３に記載の支持アーム取付具。
【請求項６】
前記連結部は、筒形状を有し、
前記連結部は、前記嵌合孔が形成された面と対向する面において前記嵌合孔と対向する位置に、前記嵌合爪と前記嵌合孔との嵌合状態を確認するための孔である覗き孔が形成されている、ことを特徴とする請求項５に記載の支持アーム取付具。
【請求項７】
前記立設壁は、前記取付位置にある前記支持アームの後端面に対向する位置に配置されており、
前記取付位置にある前記支持アームの長手方向に沿って配置されたガイド壁を備える、
ことを特徴とする請求項２〜６のいずれか１項に記載の支持アーム取付具。
【請求項８】
前記衛星アンテナをマストに取り付けるためのマスト取付部を更に備え、
前記マスト取付部は、
前記反射鏡の裏面に立設された第１側壁部と、
前記第１側壁部と間隔を空けて前記反射鏡の裏面に立設された第２側壁部と、
前記第１側壁部と前記第２側壁部とに跨るように取り付けられ、前記反射鏡の裏面に向かって凹んだ第１凹部が形成された本体部と、
前記反射鏡の裏面と反対方向に向かって凹んだ第２凹部が形成されており、前記第１凹部に当接した前記マストを前記第２凹部で挟持する挟持部と、を備え、
前記第１側壁部及び前記第２側壁部には、両側壁部を貫通する孔である方位調整用貫通孔が形成されている、ことを特徴とする請求項１〜７のいずれか１項に記載の支持アーム取付具。
【請求項９】
前記方位調整用貫通孔は、前記衛星アンテナの設置作業に用いるドライバが通る大きさに形成されている、ことを特徴とする請求項８に記載の支持アーム取付具。
【発明の詳細な説明】
【技術分野】
【０００１】
本発明は、衛星放送を受信するための衛星アンテナに支持アームを取り付けるための支持アーム取付具に関する。
【背景技術】
【０００２】
ＢＳ放送やＣＳ放送等の衛星放送の受信に用いられる衛星アンテナは、反射鏡と、反射鏡にて集束された電波を受信するフィードホーンを有するコンバータと、から構成されている。このコンバータは、反射鏡に固定されたアームに支持されて反射鏡の焦点位置に配置される。ただし、反射鏡にアームが固定された状態で衛星アンテナが出荷されると、梱包が大きくなり輸送コストが増大する。そのため、特許文献１に記載のパラボラアンテナ装置のように、アームを反射鏡から取り外せるようにしたオフセット型の衛星アンテナが普及している。このようなオフセット型の衛星アンテナを設置する際は、反射鏡にアームを螺子で固定して衛星アンテナが組み立てられる。
【先行技術文献】
【特許文献】
【０００３】
【特許文献１】特開平８−６５０３９号公報
【発明の概要】
【発明が解決しようとする課題】
【０００４】
しかしながら、オフセット型の衛星アンテナにアームを固定する際には、反射鏡を台等に置き、反射鏡側の螺子孔とアーム側の螺子孔との位置を合わせてずれないように片手でアームを保持し、もう一方の手でドライバを持って螺子止めしなければならない。そのため、設置作業に手間がかかるという問題があった。
【０００５】
本発明は、上記実情に鑑みてなされたものであり、設置作業性に優れた支持アーム取付具を提供することを主たる目的とする。
【課題を解決するための手段】
【０００６】
請求項１に記載の発明は、前端部にコンバータが設けられた支持アームを衛星アンテナ用の反射鏡に取り付けるための支持アーム取付具であって、前記支持アームの後端部に設けられ、螺子を通す貫通孔を有した連結部と、前記反射鏡の裏面に設けられ、前記貫通孔を通った前記螺子を止める螺子孔を有し、前記連結部が固定されるアーム固定部と、を備え、前記アーム固定部は、前記貫通孔と前記螺子孔との位置が合った状態で、前記反射鏡と前記支持アームとの位置関係を保持するための第１嵌合部を有し、前記連結部は、前記第１嵌合部と嵌合する第２嵌合部を有する、ことを特徴とする。
【０００７】
請求項２に記載の発明は、請求項１に記載の支持アーム取付具であって、前記アーム固定部は、前記反射鏡の裏面に接する面である設置面と、前記設置面から立設した立設壁と、前記立設壁の端部から突出して前記反射鏡の裏面と対向する対向壁と、を有するガイド部を備え、前記対向壁は、前記連結部を前記アーム固定部に固定した時の前記支持アームの位置を取付位置として、前記取付位置にある前記支持アームが前記対向壁と前記設置面との間に位置するように設けられている、ことを特徴とする。
【０００８】
請求項３に記載の発明は、請求項２に記載の支持アーム取付具であって、前記第１嵌合部と前記第２嵌合部とは、前記支持アームが前記取付位置にある時に嵌合する、ことを特徴とする。
【０００９】
請求項４に記載の発明は、請求項３に記載の支持アーム取付具であって、前記第１嵌合部は、前記対向壁の端部から前記設置面に向かって突出するように形成された爪である嵌合爪であり、前記第２嵌合部は、前記支持アームが前記取付位置にある時に前記嵌合爪と嵌合する孔である嵌合孔である、ことを特徴とする。
【００１０】
請求項５に記載の発明は、請求項３に記載の支持アーム取付具であって、前記第１嵌合部は、前記設置面から前記反射鏡と反対方向に突出するように形成された爪である嵌合爪であり、前記第２嵌合部は、前記支持アームが前記取付位置にある時に前記嵌合爪と嵌合する孔である嵌合孔である、ことを特徴とする。
【００１１】
請求項６に記載の発明は、請求項５に記載の支持アーム取付具であって、前記連結部は、筒形状を有し、前記連結部は、前記嵌合孔が形成された面と対向する面において前記嵌合孔と対向する位置に、前記嵌合爪と前記嵌合孔との嵌合状態を確認するための孔である覗き孔が形成されている、ことを特徴とする。
【００１２】
請求項７に記載の発明は、請求項２〜６のいずれか１項に記載の支持アーム取付具であって、前記立設壁は、前記取付位置にある前記支持アームの後端面に対向する位置に配置されており、前記取付位置にある前記支持アームの長手方向に沿って配置されたガード壁を備える、ことを特徴とする。
【００１３】
請求項８に記載の発明は、請求項１〜７のいずれか１項に記載の支持アーム取付具であって、前記衛星アンテナをマストに取り付けるためのマスト取付部を更に備え、前記マスト取付部は、前記反射鏡の裏面に立設された第１側壁部と、前記第１側壁部と間隔を空けて前記反射鏡の裏面に立設された第２側壁部と、前記第１側壁部と前記第２側壁部とに跨るように取り付けられ、前記反射鏡の裏面に向かって凹んだ第１凹部が形成された本体部と、前記反射鏡の裏面と反対方向に向かって凹んだ第２凹部が形成されており、前記第１凹部に当接した前記マストを前記第２凹部で挟持する挟持部と、を備え、前記第１側壁部及び前記第２側壁部には、両側壁部を貫通する孔である方位調整用貫通孔が形成されている、ことを特徴とする。
【００１４】
請求項９に記載の発明は、請求項８に記載の支持アーム取付具であって、前記方位調整用貫通孔は、前記衛星アンテナの設置作業に用いるドライバが通る大きさに形成されている、ことを特徴とする。
【発明の効果】
【００１５】
請求項１に記載の発明によれば、反射鏡側の第１嵌合部と支持アーム側の第２嵌合部とを嵌合させると、反射鏡側の第１螺子孔と支持アーム側の第２螺子孔との位置が合った状態で、反射鏡と支持アームの位置関係が保持される。つまり、貫通孔と螺子孔との位置がずれないように片手で保持する必要がない。よって、第１嵌合部と第２嵌合部とを嵌合状態にして片一方の手で支持アームを持ち、もう一方の手で貫通孔及び螺子孔に螺子を通して止めることができる。さらに、反射鏡を台等において支持アームを螺子止めする必要がないので、反射鏡の傷を抑制することができる。すなわち、衛星アンテナの優れた設置作業性を実現できる。
【００１６】
請求項２に記載の発明によれば、対向壁に妨害されて、設置面から離れる方向の支持アームの動きが規制される。これにより、連結部を設置面へ案内して、第１嵌合部と第２嵌合とを嵌合状態にし易い。
【００１７】
請求項３に記載の発明によれば、ガイド部により連結部が設置面へ案内された状態で、嵌合爪と嵌合孔とが嵌合するため、嵌合状態が解除されにくい。
請求項４に記載の発明によれば、対向壁の端部から設置面に向かって突出するように嵌合爪が形成されていることで、視認しながら連結部の嵌合孔に嵌合爪を嵌めることができる。また、嵌合爪が嵌合孔に嵌ることで、片手で貫通孔と螺子孔との位置が合った状態を維持して、片手で螺子止めができる。
【００１８】
請求項５に記載の発明によれば、設置面から反射鏡と反対方向い向かって突出するように形成された嵌合爪が、連結部の嵌合爪に嵌まることで、片手で貫通孔と螺子孔の位置が合った状態を維持して、片手で螺子止めができる。
【００１９】
請求項６に記載の発明によれば、第２面に覗き孔が形成されていることで、覗き孔を介して視認しながら、嵌合孔に嵌合爪を嵌めることができる。
請求項７に記載の発明によれば、立設壁に妨害されて、長手方向の支持アームの動きが規制されるとともに、ガード壁に妨害されて、短手方向の支持アームの動きが規制される。したがって、第１嵌合部と第２嵌合部とが嵌合する位置へ連結部を容易に案内することができる。
【００２０】
請求項８に記載の発明によれば、本体部の第１凹部と挟持部の第２凹部とにマストを挟持することで、衛星アンテナがマストに取り付けられる。そして、第１側板と第２側板に形成されている貫通孔に棒を挿入して棒に力を加えることで、マストを回転軸として反射鏡を回転させることができる。すなわち、反射鏡を手で持つことなく反射鏡の方位角を調整することができる。よって、手で反射鏡の方位角を調整することによる反射鏡の変形を抑制し、ゲインの低下を抑制することができる。
【００２１】
請求項９に記載の発明によれば、棒を別途用意することなく、衛星アンテナの設置作業に用いるドライバを用いて、反射鏡の方位角を調整することができる。
【図面の簡単な説明】
【００２２】
【図１】マストに取り付けた衛星アンテナを示す外観図である。
【図２】第１実施形態に係る衛星アンテナの裏面側を示す外観図である。
【図３】第１実施形態に係る連結部の外観図である。
【図４】第１実施形態に係るガイド部の外観図である。
【図５】衛星アンテナをマストに取り付けるための取付板の外観図である。
【図６】本体部の貫通孔にドライバを通して衛星アンテナの方位を調整する様子を説明した図である。
【図７】第２実施形態に係る衛星アンテナの裏面側を示す外観図である。
【図８】第２実施形態に係る連結部の外観図である。
【図９】第２実施形態に係るガイド部の外観図である。
【図１０】第２実施形態の変形例に係る連結部の外観図である。
【発明を実施するための形態】
【００２３】
以下、図面を参照しながら、発明を実施するための形態を説明する。
（第１実施形態）
［１．全体構成］
まず、本実施形態に係る衛星アンテナ１００の全体構成について、図１及び図２、図６を参照して説明する。
【００２４】
衛星アンテナ１００は、反射鏡１０と、コンバータ３０が設けられた支持アーム２０と、アーム固定部５０と、マスト取付部８０と、を備え、支持アーム２０が反射鏡１０から取り外し可能なオフセット型のパラボラアンテナである。衛星アンテナ１００は、マスト２００に取り付けられて使用されることを想定している。
【００２５】
反射鏡１０は、薄く軽いアルミ製であり、凹面である反射面を備えている。ここでは、反射鏡１０の反射面側を前側、裏面１１側を後側とし、反射鏡１０に略垂直な方向を前後方向とする。また、衛星アンテナ１００をマスト２００に取り付けた際に、上になる方向を上側、下になる方を下側とし、マスト２００に平行な方向を上下方向とする。さらに、前後方向及び上下方向に垂直な方向を左右方向とする。
【００２６】
支持アーム２０は、樹脂で形成されたＵ字形状のアームである。支持アーム２０は、２つの端部のうちの一方の端部が反射鏡１０の反射面と対向する位置になるように、他方の端部が反射鏡１０の裏面１１に設けられたアーム固定部５０に固定される。ここでは、反射鏡１０の反射面と対向する側の端部を前端部、反射鏡１０の裏面１１に固定される側の端部を後端部とする。支持アーム２０は、前端部にコンバータ３０を備え、後端部に連結部４０を備える。
【００２７】
コンバータ３０は、いわゆるＬＮＢ（low-noise block converter）であるコンバータとフィードホーンとが一体化した部品であり、反射鏡１０の焦点位置に配置される。コンバータ３０は、反射鏡１０の凹面で収束された受信信号を取り込み、受信信号の周波数を中間周波数に変換する。周波数が中間周波数に変換された受信信号は、図示しない同軸ケーブルを介して、コンバータ３０から室内のデジタルテレビやデジタルチューナに送信される。
【００２８】
連結部４０は、Ｕ字形状の後端部を構成し、反射鏡１０の裏面１１に設けられたアーム固定部５０に固定される。本実施形態において、連結部４０は支持アーム取付具に含まれる。
【００２９】
［２．支持アーム取付具］
次に、支持アーム取付具の詳細な構成について、図２〜図６を参照して説明する。本実施形態において、支持アーム取付具は、連結部４０と、アーム固定部５０と、マスト取付部８０と、を備える。
【００３０】
図３に示すように、連結部４０は、四角筒形状に形成されている。ここでは、反射鏡１０の裏面１１に接する側の連結部４０の面を第１面４１、第１面に対向する面を第２面４２とする。連結部４０は、第１面４１と第２面４２とを貫通する貫通孔４３と、第２面４２に形成された嵌合孔４５と、を備える。嵌合孔４５は、第２面４２において、貫通孔４３よりも上側に形成された矩形状の孔であり、嵌合孔４５の長手方向が、連結部４０の長手方向に垂直となるように形成されている。
【００３１】
図２に示すように、アーム固定部５０は、反射鏡１０の裏面１１に固定された部材であり、裏面１１に接する面である設置面５６と、設置面５６から立設したガイド部５２と、左右一対のガイド壁５３と、左右一対の固定部５４と、左右一対の固定部６４と、を備える。アーム固定部５０のガイド部５２により動きが規制された位置で、連結部４０がアーム固定部５０に固定される。
【００３２】
設置面５６は、矩形状の面であり、２つの固定部５４が螺子５５で螺子止めされるとともに、２つの固定部６４が螺子６５で螺子止めされて、裏面１１に固定される。設置面５６には、連結部４０の第１面４１が当接する。設置面５６の下端部分には、貫通孔４３を通った螺子４４を止める螺子孔５１が形成されている。貫通孔４３と螺子孔５１とが螺子４４で止められて、アーム固定部５０に支持アーム２０が固定される。ここで、アーム固定部５０に支持アーム２０を固定した時の位置を取付位置とする。
【００３３】
図４に示すように、ガイド部５２は、立設壁５２１と、対向壁５２２と、嵌合爪５２３と、左右一対の横壁５２４と、を備える。立設壁５２１は、支持アーム２０の後端部の端面である後端面と対向するように、設置面５６から立設した壁であり、上に向かう方向の支持アーム２０の動きを規制する位置に配置されている。立設壁５２１の左右方向の幅は、連結部４０の幅よりもやや広い幅に形成されている。対向壁５２２は、立設壁５２１の後端から下方に向かって突出して、裏面１１と対向する壁であり、取付位置にある支持アームが対向壁５２２と設置面５６との間に位置するように設けられている。よって、対向壁５２２は、裏面１１から離れる方向、すなわち後に向かう方向の支持アーム２０の動きを規制する。一対の横壁５２４は、立設壁５２１の対向する一対の端部である左右両端から、それぞれ下方向に突出した壁である。一対の横壁５２４は、左右方向の支持アーム２０の動きを規制する。
【００３４】
嵌合爪５２３は、対向壁５２２の下端から設置面５６に向かって、すなわち前方に向かって突出するように形成された板状部材である。嵌合爪５２３は、連結部４０の貫通孔４３と設置面５６の螺子孔５１との位置が合った状態で、嵌合孔４５と嵌合し、反射鏡１０と支持アーム２０の位置関係を保持する部材である。すなわち、嵌合爪５２３と嵌合孔４５とは、支持アーム２０が取付位置にあるときに嵌合する。そして、貫通孔４３を上向きにして、嵌合爪５２３と嵌合孔４５とを嵌合させたまま支持アーム２０を持ち上げると、貫通孔４３と螺子孔５１の位置が合った状態で、支持アーム２０とともに反射鏡１０も持ち上げられる。
【００３５】
ガイド壁５３は、取付位置にある支持アーム２０の長手方向に沿って配置された左右一対の壁である。ガイド壁５３は、設置面５６から立設された壁であり、左右方向に連結部４０の幅よりもやや広い間隔を空けて設けられている。ガイド壁５３は、左右方向の支持アーム２０の動きを規制する。
【００３６】
マスト取付部８０は、左右一対の取付板６０と、本体部７０と、挟持部７３と、を備える。
取付板６０は、設置面５６の左右両端から立設した板状の部材であり、設置面５６と一体的に形成されている。図５に示すように、取付板６０には、孔６１と、円弧状の第１溝６２と、第１溝６２の下側に並んだ円弧状の第２溝６３と、が形成されている。第２溝６３は、第１溝６２よりも上下方向の幅が広く、且つ前後方向の長さが長く形成されている。また、少なくとも一方の取付板６０の外面には、反射鏡１０の仰角を調整するための仰角目盛が描かれている。仰角目盛は、第１溝６２と第２溝６３を上下方向に貫くように描かれた複数の線から構成されている。仰角目盛の各線は、反射鏡１０の仰角３０°〜６０°まで５°間隔で示している。
【００３７】
図６に示すように、本体部７０は、上下方向に垂直な断面がＭ字形状に形成されており、左右の取付板６０に跨るように取り付けられる部材である。本体部７０は、左右一対の側壁７１と、左右の側壁７１を繋ぐ中央部７２とを備える。側壁７１の前端部分には、螺子を通す螺子孔７１１，７１３が形成されている。取付板６０の孔６１を通った螺子６６が螺子孔７１１で止められ、第２溝６３を通った螺子６７が螺子孔７１３で止められて、取付板６０に本体部７０が固定される。
【００３８】
また、側壁７１の上端部分には、螺子孔７１１の後側に、貫通孔７１２が形成されている。貫通孔７１２は、左右の側壁７１の同じ位置に、衛星アンテナ１００の設置作業に用いるドライバ９０が通る大きさに形成されている。つまり、左右の側壁７１の一方から他方へドライバ９０を貫通させることができるようになっている。さらに、少なくとも一方の側壁７１の外面には、反射鏡１０の仰角を調整する際の目印となる目盛７１４が描かれている。貫通孔７１２は、方位調整用貫通孔に相当する。
【００３９】
中央部７２には、反射鏡１０の裏面１１に向かって、すなわち前方に向かって凹んだ第１凹部７２２が、中央部７２の上端から下端に亘って形成されている。第１凹部７２２には、後方からマスト２００が当接する。第１凹部７２２の左右両側には、Ｕ字螺子を通す孔７２３が形成されている。また、中央部７２の上端には、マストストッパ７２１が設けられている。マストストッパ７２１は、マスト２００が本体部７０よりも上方へ飛び出さないように、マスト２００の上方への動きを規制する部材である。
【００４０】
挟持部７３は、マスト２００を挟んで、中央部７２に取り付けられる板状の部材である。挟持部７３には、裏面１１と反対方向に向かって、すなわち後方に向かって凹んだ第２凹部７３３が、挟持部７３の上端から下端に亘って形成されている。第２凹部７３３には、前方からマスト２００が当接する。また、第２凹部７３３の左右両側には、孔７２３を通ったＵ字螺子を通す孔７３１が形成されている。第１凹部７２２と第２凹部７３３でマスト２００を挟持し、孔７３１と孔７２３とを通ったＵ字螺子がナット７３２で止められて、衛星アンテナ１００がマスト２００に取り付けられる。この際、ナット７３２は、反射鏡１０が左右に動く程度に緩く仮締めする。
【００４１】
なお、本実施形態では、左右それぞれにおける取付板６０が、それぞれ第１側壁部と第２側壁部に相当する。また、嵌合爪５２３が第１嵌合部に相当し、嵌合孔４５が第２嵌合部に相当する。
【００４２】
［３．アーム固定手順］
次に、反射鏡１０に支持アーム２０を固定する手順について説明する。まず、一方の手でアーム固定部５０を取り付けた反射鏡１０を持ち、もう一方の手で支持アーム２０を持って、連結部４０の嵌合孔４５に、ガイド部５２の嵌合爪５２３を嵌合させる。この際、連結部４０は、ガイド部５２及びガイド壁５３により、嵌合孔４５と嵌合爪５２３が嵌合する位置へ案内される。
【００４３】
続いて、嵌合孔４５と嵌合爪５２３とを嵌合させた状態で、反射鏡１０から手を離し、片手で支持アーム２０を持って、反射鏡１０と支持アーム２０とを持ち上げる。このとき、貫通孔４３と螺子孔５１との位置は合った状態になっている。そして、空いた片手で螺子４４を貫通孔４３及び螺子孔５１に入れて、ドライバ９０で締め付ける。これにより、アーム固定部５０に支持アーム２０が固定される。
【００４４】
［４．反射鏡の仰角及び方位の調整］
次に、反射鏡１０の仰角及び方位の調整について説明する。まず、衛星アンテナ１００をマスト２００に取り付け、反射鏡１０の仰角を大まかに調整する。具体的には、螺子６６、６７を緩め、本体部７０の目盛７１４を、取付板６０の仰角目盛のうち、衛星アンテナ１００を設置する地域に合った目盛に合わせる。そして、螺子６６，６７を緩く仮締めする。
【００４５】
続いて、反射鏡１０の方位を調整する。一般に、反射鏡１０の方位を調整する場合には、反射鏡１０を手で持って回転させる。反射鏡１０は薄いアルミで形成されているため、手で持って力を加えると変形するおそれがある。反射鏡１０が変形すると、反射面が歪みゲインが低下するおそがある。そこで、本実施形態では、左右の側壁７１の貫通孔７１２にドライバ９０を貫通させ、ドライバ９０をマスト２００に垂直な平面上で動かして、マスト２００を回転軸として反射鏡１０を回転させる。
【００４６】
ドライバ９０を少しずつ動かして、反射鏡１０を少しずつ動かし、デジタルテレビ又はデジタルチューナの受信強度が最大となる方位で止める。そして、ナット７３２を本締めし、反射鏡１０の方位を固定する。続いて、反射鏡１０の仰角を、デジタルテレビ又はデジタルチューナの受信強度が最大となる仰角に微調整して、螺子６６，６７を本締めし、反射鏡１０の仰角を固定する。
【００４７】
［５．効果］
以上詳述した第１実施形態によれば、以下の効果が得られる。
（１）アーム固定部５０の嵌合爪５２３と、連結部４０の嵌合孔４５とを嵌合させると、アーム固定部５０の螺子孔５１と連結部４０の貫通孔４３との位置が合った状態で、反射鏡１０と支持アーム２０の位置関係が保持される。よって、嵌合爪５２３と嵌合孔４５とを嵌合させた状態で、片方の手で支持アーム２０を持ち、もう一方の手で貫通孔４３及び螺子孔５１に螺子４４を通して止めることができる。さらに、反射鏡１０を台等において螺子止めする必要がないので、反射鏡１０の傷を抑制することができる。すなわち、衛星アンテナの優れた設置作業性を実現できる。
【００４８】
（２）対向壁５２２に妨害されて、反射鏡１０の裏面１１から離れる方向の支持アーム２０の動きが規制される。これにより、連結部４０を裏面１１へ案内して、嵌合爪５２３と嵌合孔４５とを容易に嵌合させることができる。
【００４９】
（３）対向壁５２２により連結部４０が裏面１１へ案内された状態で、嵌合爪５２３と嵌合孔４５とが嵌合するため、嵌合状態が解除されにくい。
（４）連結部４０の第２面４２に嵌合孔４５が形成されているため、視認しながら嵌合孔４５に嵌合爪５２３を嵌めることができる。
【００５０】
（５）連結部４０の第２面４２から第１面４１に向かって嵌合爪５２３が嵌ることで、片手で螺子孔５１と貫通孔４３の位置が合った状態を維持して、片手で螺子止めができる。
【００５１】
（６）ガイド部５２の立設壁５２１により、上方向の連結部４０の動きが規制されるとともに、ガイド壁５３により、左右方向の連結部４０の動きが規制される。したがって、嵌合爪５２３と嵌合孔４５とが嵌合する位置へ、連結部４０を容易に案内することができる。
【００５２】
（７）本体部７０の第１凹部７２２と挟持部７３の第２凹部７３３とにマスト２００を挟持することで、衛星アンテナ１００がマスト２００に取り付けられる。そして、左右の取付板６０に形成されている貫通孔７１２に棒を挿入して、棒にマスト２００に垂直な方向の力を加えることで、マスト２００を回転軸として反射鏡１０を回転させることができる。すなわち、反射鏡１０を手で持つことなく反射鏡１０の方位角を調整することができる。よって、手で反射鏡１０の方位角を調整することによる反射鏡１０の変形を抑制し、ゲインの低下を抑制することができる。
【００５３】
（８）貫通孔７１２がドライバ９０の通る大きさに形成されているため、棒を別途用意することなく、衛星アンテナ１００の設置作業に用いるドライバ９０を用いて、反射鏡１０の方位角を調整することができる。
【００５４】
（第２実施形態）
［１．第１実施形態との相違点］
第２実施形態は、基本的な構成は第１実施形態と同様であるため、共通する構成については説明を省略し、相違点を中心に説明する。なお、第１実施形態と同じ符号は、同一の構成を示すものであって、先行する説明を参照する。
【００５５】
前述した第１実施形態に係るアーム固定部５０では、連結部４０の第２面４２に嵌合孔４５が形成されており、ガイド部５２に嵌合爪５２３が形成されていた。これに対し、第２実施形態に係るアーム固定部５０Ａでは、連結部４０の第１面４１に嵌合孔４６が形成されているとともに、設置面５６から立設した嵌合爪５２３Ａが形成されている点で、第１実施形態と異なる。
【００５６】
第２実施形態に係るアーム固定部５０Ａの構成について、図７〜図９を参照して説明する。図８に示すように、連結部４０Ａの嵌合孔４６は、第２面４２ではなく、第１面４１に形成されている。嵌合孔４６は、連結部４０の嵌合孔４５と比べて、後側すなわち貫通孔４３寄りに形成されている。
【００５７】
また、図７及び図９に示すように、ガイド部５２Ａは、立設壁５２１と一対の横壁５２４から構成されており、嵌合爪５２３Ａは備えていない。嵌合爪５２３Ａは、ガイド部５２Ａよりも後側に形成されている。ガイド部５２Ａから嵌合爪５２３Ａまでの距離は、連結部４０の後端面から嵌合孔４６までの距離よりもやや長い距離となっている。
【００５８】
嵌合爪５２３Ａは、Ｌ字形状に形成されており、設置面５６に垂直な垂直面と、垂直面の後端から上方に向かって延伸した延伸面と、を有する。嵌合爪５２３Ａと嵌合孔４６とを嵌合させると、嵌合爪５２３Ａの延伸面が連結部４０の第１面４１に引っかかり、支持アーム２０を持ち上げても、嵌合爪５２３Ａと嵌合孔４６との嵌合状態が解除されない。よって、第１実施形態と同様に、支持アーム２０を持ち上げると反射鏡１０も持ち上げられるため、片手で支持アーム２０を持ち、片手でドライバ９０を持って、貫通孔４３，５１を螺子４４で止めることができる。
【００５９】
［２．効果］
以上詳述した第２実施形態によれば、前述した第１実施形態の効果（１）〜（４）、（６）〜（８）に加え、以下の効果が得られる。
【００６０】
（９）連結部４０Ａの第１面４１から第２面４２に向かって嵌合爪５２３Ａが嵌ることで、片手で螺子孔５１と貫通孔４３の位置が合った状態を維持して、片手で螺子止めができる。
【００６１】
［他の実施形態］
以上、本発明を実施するための形態について説明したが、本発明は上述の実施形態に限定されることなく、種々変形して実施することができる。
【００６２】
（ａ）第２実施形態において、図１０に示すように、連結部４０Ａの第２面４２の嵌合孔４６と対向する位置に、嵌合爪５２３Ａと嵌合孔４６との嵌合状態を確認するための覗き孔４７が形成されていてもよい。覗き孔４７は、嵌合孔４６よりも大きな孔とする。このように覗き孔４７が形成されていることで、覗き孔４７から視認しつつ、嵌合孔４６に嵌合爪５２３Ａを嵌めることができる。
【００６３】
（ｂ）第１実施形態において、ガイド部５２と別にガイド壁５３を備えず、ガイド部５２の横壁５２４がガイド壁５３であってもよい。また、アーム固定部５０のガイド部５２は横壁５２４を備えていなくてもよいし、アーム固定部５０はガイド壁５３を備えていなくてもよい。さらに、嵌合孔４５は、嵌合孔４５の長手方向が連結部４０の長手方向に平行になるように形成されていてもよい。この場合、立設壁５２１は、ガイド壁５３のように、連結部４０の長手方向に平行に配置されていればよい。つまり、嵌合爪５２３が連結部４０の左側又は右側から嵌合孔４５に嵌合するようになっていてもよい。また、嵌合爪５２３は、ガイド部５２とは別に設けられていてもよい。
【００６４】
（ｃ）第２実施形態において、ガイド部５２と別にガイド壁５３を備えず、ガイド部５２の横壁５２４がガイド壁５３であってもよい。また、アーム固定部５０Ａは、ガイド部５２Ａ及びガイド壁５３は備えていなくてもよい。さらに、嵌合孔４６は、連結部４０Ａの第１面４１又は第１面４１と第２面４２に挟まれた側面に、嵌合孔４６の長手方向が連結部４０Ａの長手方向に平行になるように形成されていてもよい。この場合、嵌合爪５２３Ａは、垂直面が連結部４０の側面に平行で、且つ延伸面が連結部４０の側面に向かって突出するように配置されていればよい。
【００６５】
（ｄ）各実施形態において、連結部４０，４０Ａに嵌合爪が形成され、アーム固定部５０，５０Ａに嵌合孔が形成されていてもよい。嵌合爪と嵌合孔とが逆に形成されていても、嵌合爪と嵌合孔を嵌合させることで、支持アーム２０と反射鏡１０との位置関係を維持することができる。第１嵌合部と第２嵌合部は、嵌合した状態で支持アーム２０と反射鏡１０との位置関係を保持できるのであれば、どのような構成となっていてもよい。
【００６６】
（ｅ）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【００６７】
（ｆ）上述した支持アーム取付具の他、当該支持アーム取付具を構成要素とする衛星アンテナなど、種々の形態で本発明を実現することもできる。
【符号の説明】
【００６８】
１０…反射鏡、１１…裏面、２０…支持アーム、３０…コンバータ、４０，４０Ａ…連結部、４１…第１面、４２…第２面、４３…貫通孔、４４…螺子、４５，４６…嵌合孔、４７…覗き孔、５０，５０Ａ…アーム固定部、５１…螺子孔、５２，５２Ａ…ガイド部、５２Ａ…ガイド部、５３…ガイド壁、５４…固定部、５５…螺子、５６…設置面、６０…取付板、６１…孔、６２…第１溝、６３…第２溝、６４…固定部、６５，６６，６７…螺子、７０…本体部、７１…側壁、７２…中央部、７３…挟持部、８０…マスト取付部、９０…ドライバ、１００…衛星アンテナ、２００…マスト、５２１…立設壁、５２２…対向壁、５２３，５２３Ａ…嵌合爪、５２４…横壁、７１１…螺子孔、７１２…貫通孔、７１３…螺子孔、７１４…目盛、７２１…マストストッパ、７２２…第１凹部、７２３…孔、７３１…孔、７３２…ナット、７３３…第２凹部。
【図１】
2018078476.tif 000003
【図２】
2018078476.tif 000004
【図３】
2018078476.tif 000005
【図４】
2018078476.tif 000006
【図５】
2018078476.tif 000007
【図６】
2018078476.tif 000008
【図７】
2018078476.tif 000009
【図８】
2018078476.tif 000010
【図９】
2018078476.tif 000011
【図１０】
2018078476.tif 000012